(57)【要約】【課題】  本発明は、アレルゲンが付着した生活用品の表面を殆ど汚染したり破損することなく、アレルゲンを効果的に抑制することができるアレルゲン抑制化合物を提供する。【解決手段】  本発明のアレルゲン抑制化合物は、鎖状高分子の主鎖に脂環式構造を有する芳香族ヒドロキシ化合物からなるので、アレルゲン抑制化合物をアレルゲン対象物に供給することによって日常生活における通常の湿度下においてアレルゲン対象物にアレルゲン抑制効果を付与することができると共に、アレルゲン対象物の色彩にかかわらずアレルゲン対象物の外観を損なうことなく、アレルゲン対象物合物にアレルゲン抑制効果を付与することができる。【選択図】    なし【特許請求の範囲】
【請求項１】
鎖状高分子の主鎖に脂環式構造を有する芳香族ヒドロキシ化合物からなることを特徴とす
るアレルゲン抑制化合物。
【請求項２】
脂環式構造が式（１）又は式（２）であることを特徴とする請求項１に記載のアレルゲン
抑制化合物。
【化１】
2005336260.tif 000008
（Ｒ1 〜Ｒ8 は、水素、炭化水素基又はフェノール基である。）
【請求項３】
脂環式構造部分に式（３）で示される置換基を有することを特徴とする請求項１又は請求
項２に記載のアレルゲン抑制化合物。
【化２】
2005336260.tif 000009
（Ｒ9 〜Ｒ13は水素又はヒドロキシル基であり、Ｒ9 〜Ｒ13のうちの少なくとも一つはヒ
ドロキシル基である。Ｘは直接結合又は炭化水素基である。）
【請求項４】
アレルゲンがヒョウヒダニ由来であることを特徴とする請求項１乃至請求項３の何れか１
項に記載のアレルゲン抑制化合物。
【請求項５】
親水性高分子を含有することを特徴とする請求項１乃至請求項４の何れか１項に記載のア
レルゲン抑制化合物。
【発明の詳細な説明】
【技術分野】
【０００１】
本発明は、スギなどの草木の花粉、ダニ、室内の塵などのアレルゲンが特異抗体と反応
するのを抑制するアレルゲン抑制化合物に関する。
【背景技術】
【０００２】
近年、アトピー性皮膚炎、気管支喘息、アレルギー性鼻炎などの多くのアレルギー疾患
が問題となってきている。このアレルギー疾患の主な原因としては、住居内に生息するダ
ニ類、特に、室内塵中に多く存在するヒョウヒダニのアレルゲン（Ｄｅｒ１、Ｄｅｒ２）
や、主に春季に多量に空気中に浮遊するスギ花粉アレルゲン（Ｃｒｉｊ１、Ｃｒｉｊ２）
などのアレルゲンが生活空間内に増加してきているためである。
【０００３】
そして、ヒョウヒダニのアレルゲンは、ヒョウヒダニを駆除しても、ヒョウヒダニの死
骸がアレルゲンとなるために、アレルギー疾患の根本的な解決にはならない。又、スギ花
粉アレルゲンであるＣｒｉｊ１は分子量が約４０ｋＤａの糖タンパク質であり、Ｃｒｉｊ
２は分子量が約３７ｋＤａの糖タンパク質である。そして、スギ花粉アレルゲンは、鼻粘
膜などに付着すると生体外異物として認識されて炎症反応を引き起こす。
【０００４】
従って、アレルギー疾患の症状を軽減し或いは新たなアレルギー症状を防止するために
は、生活空間からアレルゲンを完全に取り除くか、アレルゲンを変性させるなどして不活
性化させることが必要となる。
【０００５】
アレルゲンは蛋白質である。従って、アレルゲンを熱、強酸又は強アルカリ等で変性さ
せると、アレルゲンはアレルゲン性を失うと考えられる。しかしながら、アレルゲンは非
常に安定性が高く、家庭で安全に使用できる酸化剤、還元剤、熱、アルカリ、酸では容易
に変性されない（非特許文献１）。
【０００６】
アレルゲンを変性させようとすると、アレルゲンの汚染場所である生活用品、例えば、
畳、絨毯、床、家具（ソファー、布ばり椅子、テーブル）、寝具（ベッド、布団、シーツ
）、車内用品（シート、チャイルドシート）、キッチン用品、ベビー用品、カーテン、壁
紙、タオル、衣類、ぬいぐるみ、その他の繊維製品、空気清浄機（本体及びフィルター）
などが条件によっては破損してしまう可能性があった。
【０００７】
このため、アレルゲンの分子表面を比較的温和な条件で化学的に変性する方法が考えら
れてきた。例えば、生皮などのなめし（タンニング）などに用いられているタンニン酸を
用いてアレルゲンを抑制する方法（特許文献１）、茶抽出物などを用いてアレルゲンを抑
制する方法（特許文献２）、ヒドロキシ安息香酸系化合物又はその塩を用いてアレルゲン
を抑制する方法（特許文献３）等が提案され、アレルゲン抑制効果も確認されている。
【０００８】
しかしながら、これらのほとんどはポリフェノールの一種であることから着色しており
、上記生活用品を着色してしまうといった問題点があった。又、特許文献４には、芳香族
ヒドロキシ化合物などからなるアレルゲン低減剤が提案されているが、充分なアレルゲン
抑制効果を発現させる量のアレルゲン低減剤を繊維などに処理すると風合いが悪くなると
言う問題点があった。
【０００９】
【非特許文献１】The Journal of Immunology Vol.144:1353-1360
【特許文献１】特開昭６１−４４８２１号公報
【特許文献２】特開平６−２７９２７３号公報
【特許文献３】特開平１１−２９２７１４号公報
【特許文献４】特開２００３−８１７２７号公報
【発明の開示】
【発明が解決しようとする課題】
【００１０】
本発明は、アレルゲンが付着した生活用品の表面を殆ど汚染したり破損することなく、
アレルゲンを効果的に抑制することができるアレルゲン抑制化合物を提供する。
【課題を解決するための手段】
【００１１】
本発明のアレルゲン抑制化合物は鎖状高分子の主鎖に脂環式構造を有する芳香族ヒドロ
キシ化合物からなり、即ち、鎖状高分子の主鎖に脂環式構造を有し且つ鎖状高分子の主鎖
或いは側鎖にフェノール基を有する芳香族ヒドロキシ化合物からなるが、生活用品の風合
いを損ねないという点から、上記脂環式構造が式（１）又は式（２）であることが好まし
い。
【００１２】
【化３】
2005336260.tif 000002
【００１３】
ここで、一般式（１）（２）において、Ｒ1 〜Ｒ8 は、水素、炭化水素基又はフェノー
ル基である。この炭化水素基としては、例えば、メチル基、エチル基、プロピル基、ブチ
ル基などのアルキル基、シクロブチル、シクロペンチル、シクロヘキシル基などのシクロ
アルキル基、ビニル基などのアルケニル基、シクロブテニル基などのシクロアルケニル基
、フェニル基、エチルフェニル基などのアリール基、アラルキル基などが挙げられる。
【００１４】
更に、上記脂環式構造部分に式（３）で示される置換基を有することが好ましく、一般
式（１）のＲ1 〜Ｒ4 のうちの少なくとも一つの置換基が式（３）で示される置換基であ
ることがより好ましい。
【００１５】
【化４】
2005336260.tif 000003
【００１６】
ここで、式（３）において、Ｒ9 〜Ｒ13は水素又はヒドロキシル基であり、Ｒ9 〜Ｒ13
のうちの少なくとも一つはヒドロキシル基である。これは、Ｒ9 〜Ｒ13のうちの少なくと
も一つがヒドロキシル基でない場合、アレルゲン抑制化合物のアレルゲン抑制効果が低下
する虞れがあるからである。しかしながら、ヒドロキシル基の数が増加すると、アレルゲ
ン抑制化合物の着色性が強くなることがあるので、式（３）におけるＲ9 〜Ｒ13のうち、
一つの置換基のみがヒドロキシル基であって且つ残余の置換基が水素であることが好まし
く、立体障害が少ないことから、Ｒ11がヒドロキシル基であって且つＲ9 、Ｒ10、Ｒ12及
びＲ13が水素であることがより好ましい。
【００１７】
又、式（３）において、Ｘは直接結合又は炭化水素基であり、このような炭化水素基と
しては、例えば、メチレン基、エチレン基、プロピリデン基、ブチリデン基などが挙げら
れる。
【００１８】
なお、鎖状高分子の主鎖に式（１）で示される脂環式構造を有し且つこの脂環式構造部
分に式（３）で示される置換基を有する芳香族ヒドロキシ化合物は、液状ポリブタジエン
とフェノールとを原料に用いて合成することができ、例えば、新日本石油社から商品名「
ＰＰシリーズ」で市販されており、鎖状高分子の主鎖に式（２）で示される脂環式構造を
有する芳香族ヒドロキシ化合物は、ジシクロペンタジエンとフェノールとを原料に用いて
合成することができ、例えば、新日本石油社から商品名「ＤＰＰシリーズ」「ＤＰＡシリ
ーズ」で市販されている。
【００１９】
更に、上記アレルゲン抑制化合物に親水性高分子を含有させてもよい。このような親水
性高分子としては、空気中の水分子を集めることによってアレルゲン抑制化合物との相互
作用を起こし得る反応場を形成し得るものであるものが好ましい。
【００２０】
そして、上記アレルゲン抑制化合物に親水性高分子を含有させることによって、通常の
湿度条件下、例えば、絶対湿度５０ｇ／ｍ3 以下の雰囲気下において、アレルゲン抑制化
合物はアレルゲンを更に効果的に抑制することができる。
【００２１】
なお、「空気中の水分子を集めることによってアレルゲン抑制化合物との相互作用を起
こしうる反応場」とは、アレルゲンが抗原性を発揮する部分（エピトープ）の抗原性を抑
制するために何らかの化学的相互作用を及ぼすための反応場のことであり、例えば、イオ
ン化状態などの電気化学的遷移状態を安定化させ、化学反応の遷移状態の障壁エネルギー
を下げることにより、自然な化学反応の進行が起こりうるような反応場のことをいう。
【００２２】
そして、通常、化学反応を起こすために越えなければならない遷移状態のエネルギー障
壁を下げるためには液体状態の水を必要とするが、本発明のアレルゲン抑制化合物は、作
為的に湿度を挙げるなどの操作を要することなく、空気中の水分を集めることによって上
述の反応場を形成することができ、更に、上述のように、親水性高分子を含有させておく
ことによって上記反応場をより確実に形成することができる。
【００２３】
上記親水性高分子としては、特に限定されず、例えば、主鎖中にエーテル結合及び／又
はアミド結合を有する高分子、側鎖に極性基を有する高分子、主鎖中にエーテル結合及び
／又はアミド結合を有し且つ側鎖に極性基を有する高分子などが挙げられる。なお、上記
極性基としては、例えば、１級アミン、２級アミン、３級アミン等のアミン基、アンモニ
ウム塩基などのカチオン性基；硫酸エステルやリン酸エステルなどのエステル基、カルボ
キシル基、スルホン基などのアニオン性基、ヒドロキシ基、アミド基などのノニオン性基
などが挙げられる。
【００２４】
上記親水性高分子としては、例えば、でんぷん、セルロース、タンニン、ニグニン、ア
ルギン酸やアラビアゴムなどの多糖などの天然系化合物、ポリビニルアルコール、ブチラ
ールなどのポリアルコール、ポリオキシメチレン、ポリオキシエチレン、ポリオキシプロ
ピレンなどのポリエーテル、ポリアクリル酸などのポリマー酸、ポリアクリル酸ナトリウ
ムなどのポリマー塩、ポリアリルアミンなどのポリアミン、ポリアクリルアミド、ポリビ
ニルピロリドン、ポリウレタン、アクリル樹脂などの合成系化合物が挙げられ、通常の室
内条件下で潮解性を示さないという点から合成系高分子が好ましく、吸湿性のみならず保
水性が高いことから、ポリビニルアルコール、ポリオキシエチレン、ポリアクリル酸、ポ
リアクリル酸ナトリウム、ポリアクリルアミド、ポリビニルピロリドンが好ましい。なお
、親水性高分子は単独でも２種類以上のものを併用してもよいが、異なる分子構造を有す
る２種類以上の親水性高分子を組み合わせることが好ましい。
【００２５】
異なる分子構造を有する２種類以上の親水性高分子の組合せとしては、ポリエーテルと
ポリマー塩との組合せ、ポリエーテルとポリアルコールとの組合せが好ましく、ポリオキ
シエチレンとポリアクリル酸ナトリウムとの組合せ、ポリオキシエチレンとポリビニルア
ルコールとの組合せがより好ましい。
【００２６】
上記親水性高分子の融点は、低いと、アレルゲン抑制化合物の使用雰囲気下にて液体状
となる場合があり、アレルゲン抑制化合物で処理した生活用品がべとつくなどの風合いを
損なう虞れがあるので、４０℃以上が好ましく、水と接する機会の多い雰囲気下にてアレ
ルゲン抑制化合物が用いられる場合にはアレルゲンの抑制効果を持続させるために、５０
℃以上がより好ましい。
【００２７】
そして、上記親水性高分子の含有量は、少ないと、空気中の水分子を十分に集められな
いため、アレルゲンとの相互作用を起こしうるに十分な反応場を形成することができず、
アレルゲン抑制化合物が十分なアレルゲンの抑制効果を発揮することができないことがあ
る一方、多いと、アレルゲン抑制化合物の量が相対的に少なくなってしまい、アレルゲン
抑制化合物におけるアレルゲンの抑制効果が低下することがあるので、アレルゲン抑制化
合物１００重量部に対して４０〜１０００重量部が好ましく、５０〜１０００重量部がよ
り好ましく、５０〜１０００重量部が特に好ましい。
【００２８】
又、上記アレルゲン抑制化合物をエポキシ樹脂などを用いて高分子量化することによっ
て、水などの溶剤に対するアレルゲン抑制化合物の溶解性を低下させて耐溶剤性を向上さ
せ、アレルゲン抑制化合物のアレルゲン抑制効果を長期間に亘って持続させることができ
る。例えば、アレルゲン抑制化合物で処理した生活用品に水がかかったり或いは洗濯した
場合にあっても、アレルゲン抑制化合物が水に溶解して消失するのを抑制することができ
、アレルゲン抑制化合物のアレルゲン抑制効果を長期間に亘って持続させることができる
。
【００２９】
本発明のアレルゲン抑制化合物には、アレルゲン抑制効果の有効性を阻害しない範囲に
おいて、分散剤、乳化剤、酸化防止剤、紫外線吸収剤などの製剤用補助剤が配合されてい
てもよく、また、殺ダニ剤、殺菌剤、防黴剤、消臭剤などが含有されていてもよい。
【００３０】
次に、上記アレルゲン抑制化合物の使用要領について説明する。上記アレルゲン抑制化
合物は、スプレー型、エアゾール型、燻煙型、加熱蒸散型などの汎用の使用方法を用いる
ことができる。上記アレルゲン抑制化合物を溶媒に溶解或いは分散させてアレルゲン抑制
化合物溶液とし、このアレルゲン抑制化合物溶液に水溶剤、油剤、乳剤、懸濁剤等を配合
することによって、アレルゲン抑制化合物をスプレー型とすることができる。なお、スプ
レー型とは、常圧下にあるアレルゲン抑制化合物溶液に圧力を加えてアレルゲン抑制化合
物を霧状に噴霧する使用方法をいう。
【００３１】
なお、上記溶媒としては、例えば、水（好ましくは、イオン交換水）、アルコール類（
メチルアルコール、エチルアルコール、プロピルアルコールなど）、炭化水素類（トルエ
ン、キシレン、メチルナフタレン、ケロセン、シクロヘキサンなど）、エーテル類（ジエ
チルエーテル、テトラヒドロフラン、ジオキサンなど）、ケトン類（アセトン、メチルエ
チルケトンなど）、アミド類（Ｎ，Ｎ−ジメチルホルムアミドなど）が挙げられる。
【００３２】
そして、上記スプレー型のアレルゲン抑制化合物に、固体担体（タルク、ベントナイト
、クレー、カオリン、珪藻土、シリカ、バーミュライト、パーライトなど）を添加するこ
とにより、アレルゲン抑制化合物をエアゾール型とすることができる。
【００３３】
ここで、エアゾール型とは、容器内にアレルゲン抑制化合物溶液を噴射剤と共に該噴射
剤が圧縮された状態に封入しておき、噴射剤の圧力によってアレルゲン抑制化合物を霧状
に噴霧させる使用方法をいう。なお、噴射剤としては、例えば、窒素、炭酸ガス、ジメチ
ルエーテル、ＬＰＧなどが挙げられる。
【００３４】
そして、上記スプレー型のアレルゲン抑制化合物に、酸素供給剤（過塩素酸カリウム、
硝酸カリウム、塩素酸カリウムなど）、燃焼剤（糖類、澱粉など）、発熱調整剤（硝酸グ
アニジン、ニトログアニジン、リン酸グアニル尿素など）、酸素供給剤分解用助剤（塩化
カリウム、酸化銅、酸化クロム、酸化鉄、活性炭など）などを添加することにより、アレ
ルゲン抑制化合物を燻煙型することができる。なお、燻煙型とは、アレルゲン抑制化合物
を微粒子化して煙状とし、分散させる使用方法をいう。
【００３５】
そして、上記アレルゲン抑制化合物を、各種使用方法に応じて、生活用品などのような
、アレルゲンが存在する対象物、即ち、アレルゲンを抑制したい対象物（以下、「アレル
ゲン対象物」という）に噴霧、分散、塗布又は固着させることによって供給することによ
り、アレルゲンを抑制することができる。なお、上記アレルゲン抑制化合物は、単独で用
いられても２種以上が併用されてもよい。
【００３６】
なお、「アレルゲンを抑制する」とは、ヒョウヒダニのアレルゲン（Ｄｅｒ１、Ｄｅｒ
２）、空気中に浮遊するスギ花粉アレルゲン（Ｃｒｉｊ１、Ｃｒｉｊ２）、犬や猫に起因
するアレルゲン（Ｃａｎ  ｆ１、Ｆｅｌ  ｄ１）などのアレルゲンを変性し或いは吸着し
、アレルゲンの特異抗体に対する反応性を抑制することをいう。
【００３７】
又、上記アレルゲン対象物としては、生活空間においてアレルゲンの温床となる生活用
品などが挙げられる。この生活用品としては、例えば、畳、絨毯、床、家具（ソファー、
布ばり椅子、テーブル）、寝具（ベッド、布団、シーツ）、車内用品（シート、チャイル
ドシート）、キッチン用品、ベビー用品、カーテン、壁紙、タオル、衣類、ぬいぐるみ、
繊維製品、空気清浄機（本体及びフィルター）などが挙げられる。更に、上記アレルゲン
抑制化合物は、上述以外に、洗剤や柔軟仕上げ剤などに添加することによってもアレルゲ
ン抑制効果を発揮することができる。
【００３８】
本発明のアレルゲン抑制化合物でアレルゲン対象物に対する使用量としては、少ないと
、アレルゲン抑制化合物のアレルゲン抑制効果が発現しないことがある一方、多いと、ア
レルゲン対象物を痛めることがあるので、アレルゲン対象物１００重量部に対して０．１
〜３００重量部が好ましく、０．２〜１００重量部がより好ましく、０．５〜５０重量部
が特に好ましい。
【００３９】
本発明のアレルゲン抑制化合物が対象とするアレルゲンとしては、動物性アレルゲン、
花粉などの植物性アレルゲンが挙げられる。特に効果のある動物アレルゲンとしては、ダ
ニ類のアレルゲン（ダニ類、節足動物一蛛形綱−ダニ目の生物で、主に７つの亜目に分か
れている。アシナガダニに代表される背気門、カタダニに代表される四気門、ヤマトマダ
ニ、ツバメヒメダニに代表される後気門、イエダニ、スズメサシダニ代表される中気門、
クワガタツメダニ、ナミホコリダニに代表される前気門、コナヒョウヒダニなどのヒョウ
ヒダニ類、ケナガコナダニに代表される無気門、イエササラダニ、カザリヒワダニに代表
される隠気門など）のいずれの種類でも対象となり得るが、室内塵中、特に寝具類に多く
、アレルギー疾患の原因となるヒョウヒダニ類に特に効果がある。
【００４０】
上述のアレルゲン抑制化合物の使用要領によれば、アレルゲン対象物に必要に応じてア
レルゲン抑制化合物を供給することによって、アレルゲン対象物に存在するアレルゲンの
特異抗体に対する反応性を抑制するものであった。
【００４１】
上記アレルゲン抑制化合物を繊維に含有させてアレルゲン抑制繊維とし、繊維自体にア
レルゲン抑制効果を付与してもよい。このアレルゲン抑制繊維を用いて上記生活用品を作
製することによって、生活用品にアレルゲン抑制効果を予め付与しておくことができる。
【００４２】
アレルゲン抑制化合物を繊維に含有させる方法としては、繊維にアレルゲン抑制化合物
を化学的に結合させたり或いは物理的に固着させる方法が挙げられる。そして、繊維とし
ては、アレルゲン抑制化合物を含有させることができるものであれば、特に限定されず、
例えば、ポリエステル繊維、ナイロン繊維、アクリル系繊維、ポリオレフィン系繊維など
の合成繊維、アセテート繊維などの半合成繊維、キュプラ、レーヨンなどの再生繊維、綿
、麻、羊毛、絹などの天然繊維、又は、これら各種繊維の複合化繊維、混綿などが挙げら
れる。
【００４３】
上記アレルゲン抑制化合物を繊維に化学的に結合させる要領としては、グラフト化反応
により繊維にアレルゲン抑制化合物を化学的に結合させる方法が挙げられる。グラフト化
反応としては、特に限定されず、例えば、(1) 繊維となる幹ポリマーに重合開始点をつく
り、アレルゲン抑制化合物を枝ポリマーとして重合させるグラフト重合方法、(2) アレル
ゲン抑制化合物を高分子反応によって繊維に化学的に結合させる高分子反応法などが挙げ
られる。
【００４４】
グラフト重合方法としては、例えば、(1) 繊維への連鎖移動反応を利用し、ラジカルを
生成し重合する方法、(2) 第２セリウム塩や硫酸銀塩などをアルコール、チオール、アミ
ンのような還元性物質を作用させて酸化還元系（レドックス系）を形成し、繊維にフリー
ラジカルを生成して重合を行う方法、(3) 繊維と、アレルゲン抑制化合物の原料となる単
量体とを共存させた状態で、繊維にγ線や加速電子線を照射する方法、(4) γ線や加速電
子線を繊維だけに照射し、その後にアレルゲン抑制化合物の原料となる単量体を加えて重
合を行う方法、(5) 繊維を構成する高分子を酸化してペルオキシ基を導入し或いは側鎖の
アミノ基からジアゾ基を導入して、これを重合開始点として重合する方法、(6) ヒドロキ
シル基、アミノ基、カルボキシル基などの側鎖の活性基によるエポキシ、ラクタム、極性
ビニルモノマーなどの重合開始反応を利用する方法などが挙げられる。
【００４５】
更に、グラフト重合方法を具体的に列挙する。ａ）アレルゲン抑制化合物の原料となる
単量体中でセルロースを磨砕することによってフリーラジカルを生成させてグラフト重合
を行う方法。ｂ）アレルゲン抑制化合物の原料となる単量体と、繊維として連鎖移動を受
けやすい基を持つセルロース誘導体（例えば、メルカプトエチルセルロースなど）を用い
てグラフト重合を行う方法。ｃ）オゾンや過酸化物を酸化し、ラジカルを生成させる方法
でグラフト重合を行う方法。ｄ）アリルエーテル、ビニルエーテルまたはメタクリル酸エ
ステルなどの二重結合を、セルロースの側鎖に導入してグラフト重合を行う方法。ｅ）ア
ントラキノン−２，７−ジスルホン酸ナトリウムなどを光増感剤として用い、繊維に紫外
線を照射してグラフト重合を行う方法。ｆ）カソードの周りに繊維を巻き、希硫酸中に、
アレルゲン抑制化合物の原料となる単量体を加えて外部電圧を加えることにより電気化学
的にグラフト重合を行う方法。
【００４６】
繊維へのグラフト重合であることを勘案すれば、下記方法が好ましい。ｇ）メタクリル
酸グリシジル（ＧＭＡ）と過酸化ベンゾイルを塗った繊維を、アレルゲン抑制化合物の原
料となる単量体溶液中で加熱することによりグラフト重合する方法。ｈ）過酸化ベンゾイ
ル、界面活性剤（非イオン界面活性剤又は陰イオン界面活性剤）及びモノクロロベンゼン
を水へ分散させた分散液に、アレルゲン抑制化合物の原料となる単量体を加え、繊維とし
て、例えばポリエステル系繊維を浸漬して、加熱してグラフト重合を行う方法。
【００４７】
上記高分子反応法としては、汎用の方法が使用でき、例えば、(1) Ｃ−Ｈに対する連鎖
移動反応、酸化反応、置換反応、(2) 二重結合に対する付加反応、酸化反応、(3) ヒドロ
キシル基のエステル化、エーテル化、アセタール化、エステル基やアミド基に対する置換
反応、付加反応、加水分解反応、ハロゲン基に対する置換反応、脱離反応、(4） 芳香環
に対する置換反応（ハロゲン化、ニトロ化、スルホン化、クロルメチル化）などが挙げら
れる。
【００４８】
次に、アレルゲン抑制化合物を繊維に物理的に固着させる方法について説明する。アレ
ルゲン抑制化合物を繊維に物理的に固着させる方法としては、例えば、(1) アレルゲン抑
制化合物を溶剤中に溶解或いは分散させ、このアレルゲン抑制化合物溶液中に繊維を含浸
させて、繊維にアレルゲン抑制化合物溶液を含浸させる方法、(2) 上記アレルゲン抑制化
合物溶液を繊維表面に塗布する方法、(3) 上記アレルゲン抑制化合物を溶解或いは分散さ
せてなるバインダー中に浸漬させて、アレルゲン抑制化合物をバインダーによって繊維に
固着させる方法、(4) 上記アレルゲン抑制化合物を溶解或いは分散させてなるバインダー
を繊維表面に塗布し、アレルゲン抑制化合物をバインダーによって繊維に固着させる方法
などが挙げられる。なお、上記(1) (2) の方法において、アレルゲン抑制化合物溶液中に
下記バインダーを含有させてもよい。
【００４９】
上記溶剤としては、特に限定されず、例えば、水；メチルアルコール、エチルアルコー
ル、プロピルアルコールなどのアルコール類；トルエン、キシレン、メチルナフタレン、
ケロセン、シクロヘキサンなどの炭化水素類；ジエチルエーテル、テトラヒドロフラン、
ジオキサンなどのエーテル類；アセトン、メチルエチルケトンなどのケトン類；Ｎ，Ｎ−
ジメチルホルムアミドなどのアミド類などが挙げられる。
【００５０】
上記バインダーとしては、アレルゲン抑制化合物を繊維表面に固着できるものであれば
、特に限定されず、例えば、合成樹脂からなるバインダーとしては、一液型ウレタン樹脂
、二液型ウレタン樹脂などのウレタン系樹脂、アクリル樹脂、ウレタンアクリレート樹脂
、ポリエステル樹脂、不飽和ポリエステル樹脂、アルキド樹脂、酢酸ビニル樹脂、塩化ビ
ニル樹脂、エポキシ樹脂、エポキシアクリレート樹脂などが挙げられ、ウレタン系樹脂が
好ましい。
【００５１】
又、上記では、アレルゲン抑制化合物を別途製造された繊維に化学的に結合させ或いは
物理的に固着させることによって、繊維にアレルゲン抑制化合物を含有させる要領を説明
したが、アレルゲン抑制化合物を化学的に結合させた繊維原料を紡糸して繊維を作製して
もよい。
【００５２】
アレルゲン抑制化合物を化学的に結合させた繊維原料の作製要領としては、特に限定さ
れず、例えば、アレルゲン抑制化合物を置換基として有する重合性単量体と、一般の繊維
原料となる重合性単量体とを共重合させて繊維原料を作製する方法が挙げられる。
【００５３】
又、アレルゲン抑制化合物に親水性高分子を含有させることを説明したが、アレルゲン
抑制化合物及び親水性高分子を置換基として有する重合性単量体を用いることによって、
アレルゲン抑制化合物及び親水性高分子を化学的に結合させた繊維原料を作製し、この繊
維原料を紡糸することによって、アレルゲン抑制化合物及び親水性高分子を含有させた繊
維を作製することができる。
【発明の効果】
【００５４】
本発明のアレルゲン抑制化合物は、上述の構成を有していることから、アレルゲン抑制
化合物をアレルゲン対象物に供給することによって日常生活における通常の湿度下におい
てアレルゲン対象物にアレルゲン抑制効果を付与することができる。
【００５５】
しかも、本発明のアレルゲン抑制化合物は、アレルゲン対象物の風合いを損ねることな
く、アレルゲン対象物に存在するアレルゲンを抑制することができることから、アレルゲ
ン対象物の色彩にかかわらずアレルゲン対象物の外観を損なうことなく、アレルゲン対象
物合物にアレルゲン抑制効果を付与することができる。
【実施例】
【００５６】
（実施例１〜３、比較例１）
各実施例ごとにアレルゲン抑制化合物として表１に示したように、フェノール樹脂（１
）（新日本石油化学社製  商品名「ＰＰ−７００−３００」）、フェノール樹脂（２）（
新日本石油化学社製  商品名「ＰＰ−１０００−２４０」）、フェノール樹脂（３）（新
日本石油化学社製  商品名「ＤＰＰ−Ｌ」）又はポリ−４−ビニルフェノール（アルドリ
ッチ社製  重量平均分子量：８０００）をジメチルホルムアミドに１０重量％、１重量％
、０．１重量％又は０．０１重量％となるように溶解させてアレルゲン抑制化合物溶液を
作製した。なお、フェノール樹脂（１）（２）は構造式（４）で、フェノール樹脂（３）
は構造式（５）で示される。
【００５７】
【化５】
2005336260.tif 000004
（Ｒは、メチル基又はエチル基である。）
【００５８】
【化６】
2005336260.tif 000005
【００５９】
（実施例４）
アレルゲン抑制化合物としてフェノール樹脂（１）５重量部及びポリビニルピロリドン
（和光純薬社製  商品名「Ｋ３０」、重量平均分子量：４００００）４重量部をジメチル
ホルムアミド１００重量部に溶解させてアレルゲン抑制化合物溶液を作製した。
【００６０】
このアレルゲン抑制化合物溶液を不織布（綿：８０重量％、ポリエステル繊維：２０重
量％、目付：１００ｇ／ｍ2 ）に２０マイクロリットル／ｃｍ2 となるように噴霧して５
０℃で１５時間に亘って放置して乾燥させ、アレルゲン抑制不織布を得た。
【００６１】
（実施例５）
アレルゲン抑制化合物としてフェノール樹脂（１）３重量部、ポリオキシメチレン（和
光純薬社製、重量平均分子量：７５００）２重量部及びポリアクリル酸ナトリウム（アル
ドリッチ社製、重量平均分子量：２１００）２重量部をジメチルホルムアミド水溶液（ジ
メチルホルムアミド：９０重量％）１００重量部に溶解させてアレルゲン抑制化合物溶液
を作製した。
【００６２】
このアレルゲン抑制化合物溶液を不織布（綿：８０重量％、ポリエステル繊維：２０重
量％、目付：１００ｇ／ｍ2 ）に２０マイクロリットル／ｃｍ2 となるように噴霧して５
０℃で１５時間に亘って放置して乾燥させ、アレルゲン抑制不織布を得た。
【００６３】
（実施例６）
ポリビニルピロリドンを用いなかったこと以外は実施例４と同様にしてアレルゲン抑制
不織布を得た。
【００６４】
（比較例２）
ジメチルホルムアミドにアレルゲン抑制化合物を溶解させることなく用いた。
【００６５】
（比較例３）
実施例４で用いた不織布にアレルゲン抑制化合物溶液を噴霧させることなく用いた。
【００６６】
（比較例４）
フェノール樹脂（１）を用いなかったこと以外は実施例４と同様にしてジメチルホルム
アミド溶液を作製した。このジメチルホルムアミド溶液を不織布（綿：８０重量％、ポリ
エステル繊維：２０重量％、目付：１００ｇ／ｍ2 ）に２０マイクロリットル／ｃｍ2 と
なるように噴霧して５０℃で１５時間に亘って放置して乾燥させた。
【００６７】
（比較例５）
フェノール樹脂（１）を用いなかったこと以外は実施例５と同様にしてジメチルホルム
アミド溶液を作製した。このジメチルホルムアミド溶液を不織布（綿：８０重量％、ポリ
エステル繊維：２０重量％、目付：１００ｇ／ｍ2 ）に２０マイクロリットル／ｃｍ2 と
なるように噴霧して５０℃で１５時間に亘って放置して乾燥させた。
【００６８】
（比較例６）
フェノール樹脂（１）の代わりにポリ４−ビニルフェノール（アルドリッチ社製  重量
平均分子量：８０００）を用いたこと以外は、実施例５と同様にしてアレルゲン抑制不織
布を得た。
【００６９】
（比較例７）
アレルゲン抑制化合物としてポリ４−ビニルフェノール（アルドリッチ社製  重量平均
分子量：８０００）２０重量部及びポリビニルピロリドン（和光純薬社製  商品名「Ｋ３
０」、重量平均分子量：４００００）８重量部をジメチルホルムアミド１００重量部に溶
解させてアレルゲン抑制化合物溶液を作製した。このアレルゲン抑制化合物溶液を用いて
実施例４と同様の要領でアレルゲン抑制不織布を得た。
【００７０】
実施例１〜３及び比較例１で得られたアレルゲン抑制化合物溶液、並びに、比較例２で
得られたジメチルホルムアミドのアレルゲン抑制能を下記に示した要領で測定し、その結
果を表１に示した。
【００７１】
更に、実施例４〜６及び比較例３〜７で得られた不織布のダニ及びスギ花粉のアレルゲ
ン抑制率並びに風合いを下記に示した要領で測定し、その結果を表２に示した。
【００７２】
（アレルゲン抑制能）
アレルゲンの冷結乾燥粉末（コスモ・バイオ社製  商品名「Mite Extract-Dp」 ）をタ
ンパク量が８ｎｇ／ミリリットルになるようにリン酸バッファー（ｐＨ７．６）に溶解さ
せてアレルゲン溶液を作製した。
【００７３】
次に、アレルゲン溶液を試験管ミキサーを用いて攪拌しながら、アレルゲン溶液１ミリ
リットルにアレルゲン抑制化合物溶液又はジメチルホルムアミド溶液１００マイクロリッ
トルを添加して３７℃で２時間に亘って震とうした。
【００７４】
続いて、アレルゲン溶液のアレルゲン性をアレルゲン測定具（シントーファイン社製  
商品名「マイティーチェッカー」）を用いて評価した。そして、アレルゲン測定具の発色
度合いを目視観察して下記の通り評価した。
【００７５】
４・・・アレルゲンタンパク濃度：８ｎｇ／ミリリットル
３・・・アレルゲンタンパク濃度：４ｎｇ／ミリリットル
２・・・アレルゲンタンパク濃度：２ｎｇ／ミリリットル
１・・・アレルゲンタンパク濃度：１ｎｇ／ミリリットル
【００７６】
（ダニのアレルゲン抑制率）
実施例４〜６及び比較例３〜７で作製された不織布から一辺が１０ｃｍの平面正方形状
の試験片を各不織布ごとに５枚づつ切り出した。そして、エチルアルコール９０重量部及
び精製水１０重量部を混合してなる液に塵ゴミ（Ｄｅｒ  ｐ１アレルゲン：１０μｇ／ｇ
含有）１重量部を分散させてなるアレルゲン溶液液を作製し、このアレルゲン溶液を各試
験片に５ミリリットル振り撒いた後、５０℃のオーブンで５分間乾燥させた。
【００７７】
各試験片について、乾燥直後のアレルゲン量（Ｗ1 ）と、２５℃、相対湿度６０％の恒
温恒湿槽内に１５時間放置した後のアレルゲン量（Ｗ2 ）を下記の方法により測定し、ア
レルゲン抑制率を下記式に基づいて算出した。なお、各不織布ごとに、５枚の試験片のア
レルゲン抑制率の相加平均値を求め、この相加平均値をアレルゲン抑制率とした。
アレルゲン抑制率（％）＝１００×（１−Ｗ2 ／Ｗ1 ）
【００７８】
各試験片のアレルゲン量の測定は下記の要領で行った。先ず、アレルゲンを含有させた
試験片を１５ミリリットルのガラス試験管に丸めて入れ、ガラス試験管に１０ミリリット
ルの抽出液（リン酸バッファー（ｐＨ７．３５）に１重量％のＢＳＡと０．０５重量％の
ポリオキシエチレン（２０）ソルビタンモノラウレートを加えたもの）を供給した。
【００７９】
しかる後、ガラス試験管を２０分間に亘ってよく振とうした後、直ちに抽出液を採取し
た。得られた抽出液中のアレルゲン量を、ＥＬＩＳＡキット（ＬＣＤアレルギー研究所社
製）を用いて測定し、１ｍ2 あたりのＤｅｒ  ｐ１量に換算した。
【００８０】
（スギ花粉のアレルゲン抑制率）
実施例４〜６及び比較例３〜７で作製された不織布から一辺が１０ｃｍの平面正方形状
の試験片を各不織布ごとに５枚づつ切り出した。そして、採取したスギ花粉を０．１２５
Ｍの重炭酸アンモニウムで抽出し、得られた抽出液のＣｒｙｊ１濃度が４０ｇ／ミリリッ
トルとなるように、リン酸バッファー溶液（ｐＨ：７．６）で希釈してアレルゲン溶液と
した。
【００８１】
このアレルゲン溶液１０ミリリットル中に各試験片を丸めて入れ、３７℃で１時間に亘
って震とうした後、２０時間に亘って静かに放置した。そして、アレルゲン溶液から測定
液を抽出して、この測定液中のアレルゲン量をＥＬＩＳＡキット（ＬＣＤアレルギー研究
所社製）を用いて測定し、Ｃｒｙｊ１量（Ｗ3 ）（ｎｇ／ミリリットル）を求め、アレル
ゲン抑制率を下記式に基づいて算出した。なお、各不織布ごとに、５枚の試験片のアレル
ゲン抑制率の相加平均値を求め、この相加平均値をアレルゲン抑制率とした。
アレルゲン抑制率（％）＝１００×（１−Ｗ3／４０）
【００８２】
（風合い）
実施例４〜６及び比較例４〜７の不織布を素手で触り、比較例３の不織布の手触りと比
較し、下記の基準に基づいて判断した。
４・・・比較例３の不織布と殆ど違いが感じられなかった。
３・・・比較例３の不織布よりも少し硬く感じられた。
２・・・比較例３の不織布より硬く感じられた。
１・・・比較例３の不織布に比して硬過ぎて使用に問題があった。
【００８３】
【表１】
2005336260.tif 000006
【００８４】
【表２】
2005336260.tif 000007